(57)【要約】【課題】  深底のジョッキ、グラス等の食器の洗浄作業に際して、より小さな力で内外両側面を同時に挟み込むことを可能とし、迅速に洗浄することを可能とし、また、疲労の少ないジョッキ等の洗浄具を提供すること【解決手段】  本考案にかかるジョッキ等の洗浄具の構成は、後端に握り柄を有する一対の金属製のアームの中間において開閉自在に枢支してなり、アームの先端にタワシ、スポンジ、布、不織布等の洗浄部材を着脱自在に装着したものである。【選択図】図１
0003129565.tif 000002
【実用新案登録請求の範囲】
【請求項１】
後端に握り柄を有する一対の金属製のアームの中間において開閉自在に枢支してなり、アームの先端にタワシ、スポンジ、布、不織布等の洗浄部材を着脱自在に装着したことを特徴とするジョッキ等の洗浄具。
【請求項２】
請求項１記載のジョッキ等の洗浄具において、少なくとも一方のアームの先端部を平面状あるいはＴ字形状に形成したことを特徴とするジョッキ等の洗浄具。
【請求項３】
請求項１、２記載のジョッキ等の洗浄具において、一方のアームに固定する洗浄部材を他方より小寸法に形成したことを特徴とするジョッキ等の洗浄具。
【請求項４】
請求項１、２、３記載のジョッキ等の洗浄具において、アームに固定する洗浄部材が連結状に構成されていることを特徴とするジョッキ等の洗浄具。
【考案の詳細な説明】
【技術分野】
【０００１】  本考案は、ジョッキ、グラス等を洗浄するための洗浄具に関するものである。
【背景技術】
【０００２】  従来、飲食業において使用される食器類は、繰り返して使用するために使用済みの食器類を頻繁に洗浄する作業が必要となるが、これらの食器類の中でビールジョッキ、鮨屋で使用される湯飲み、コップ、深底のグラス等〃の食器類（以下、単にジョッキ等と言うことがある。）にあっては、普通の食器類と異なり深底であるために内側の底まで手指が届き難く、底まで丁寧に洗浄することに困難性を有し、特に、ビールジョッキ、鮨屋で使用される湯飲みは厚肉で重量があることから、これを支えて洗浄することは肉体的な負荷が大きいことから、このことからジョッキ等を迅速に洗浄できる洗浄具が必要とされ、また、このための種々の洗浄具が提案されている。【０００３】  例えば、実用新案登録第３０７２３９７号公報に示されるように、スポンジ製のたわし本体にグラスの筒状部が差し込み可能のグラス洗い用の切り込みを備える構成とし、たわし本体には、切り込みを挟むように配置されるＵ字状の補強部材が設けたスポンジたわしが提案されている。【０００４】  また、実用新案登録第３０９８０３４号公報には、金属管材の中間部に扁平部を形成してなるＵ字状の把手の両端に一対のブラシ本体を平行に伸びるように結合して洗浄ブラシを構成する。一方、ブラシ本体は、２本の金属線を心線として、毛材を挟んで撚り、毛材を螺旋状に連続するように固定して構成するとともに、ブラシ本体の相互の毛材の先端部が接する間隔となるように心線の基端部を管材にカシメて固定してなるジョッキ洗浄ブラシが提案されている。【０００５】  前述の特許文献に開示されるいずれの洗浄具においても、基本構造としてＵ字状の本体に洗浄具であるタワシあるいはスポンジ等を固定して、この洗浄具でジョッキ、グラスの壁面を挟み込むように、換言すれば、一方のブラシ、スポンジをジョッキの内部に挿入して、ジョッキの内外両側面を同時に洗浄するものであるが、本体がＵ字状であることから洗浄に際して強固に挟むために相当の握力を必要とすることから、疲労感がはなはだしく、特に飲食業における大量の洗浄作業には使用し難いという問題点がある。
【特許文献１】  実用新案登録第３０７２３９７号公報
【特許文献２】  実用新案登録第３０９８０３４号公報
【考案の開示】
【考案が解決しようとする課題】
【０００６】  本考案は前述の点に鑑みなされたもので、深底のジョッキ、グラス等の食器の洗浄作業に際して、より小さな力で内外両側面を同時に挟み込むことを可能とし、迅速に洗浄することを可能とし、また、疲労の少ないジョッキ等の洗浄具を提供することにある。
【課題を解決するための手段】
【０００７】  前述の課題を解決するための本考案にかかるジョッキ等の洗浄具の構成は、後端に握り柄を有する一対の金属製のアームの中間において開閉自在に枢支してなり、アームの先端にタワシ、スポンジ、布、不織布等の洗浄部材を着脱自在に装着した点に存するものである。【０００８】  また、本考案にかかるジョッキ等の洗浄具の構成は、ジョッキ等の洗浄具における少なくとも一方のアームの先端部を平面状あるいはＴ字形状に形成した点に存するものである。【０００９】  さらに、本考案にかかるジョッキ等の洗浄具の構成は、ジョッキ等の洗浄具における一方のアームに固定する洗浄部材を他より小寸法に形成した点に存するものである。【００１０】  さらにまた、本考案にかかるジョッキ等の洗浄具の構成は、ジョッキ等の洗浄具におけるアームに固定する洗浄部材を連結状に構成した点に存するものである。
【考案の効果】
【００１１】  上述の構成を有する本考案にかかるジョッキ等の洗浄具にあっては、後端に握り柄を有する一対の金属製のアームの中間において開閉自在に枢支した構成を採用することから、握り柄を把持することによって洗浄具のジョッキ等に作用する力が増幅され、ジョッキ等の側壁を強固に把持して洗浄することが可能となり、洗浄作業における疲労を軽減せしめる。【００１２】  また、少なくとも一方の金属製のアームの先端を平面状あるいはＴ字形状に形成することによって、アームに装着される洗浄具もこれに倣って線状となることから、言い換えると、洗浄具が前述する平面状あるいはＴ字形状に支持されることから、その先端部における当接領域が拡大することから、ジョッキ等に挿入したときに底部を効果的に洗浄することが可能となる。【００１３】  さらに、一方のアームに固定する洗浄具を他より小寸法に形成することによって、大小の食器を洗浄することをも可能とする。【００１４】  加えて、アームに固定する洗浄具をその連結して一体のものとして構成することによって、ジョッキ等の食器の開口端縁をも洗浄することが可能となる。
【実施例】
【００１５】  以下、図示の実施例に基づいて本考案にかかるジョッキ等の洗浄具について説明する。図において、１はジョッキ等の洗浄具であって、その基本とする構造はハサミ状の構造を採用している。即ち、実施例にあっては、一対の樹脂製の握り柄３をピン４により開閉自在に枢支してなり、前記握り柄３の先端部分に金属製の棒状のアーム２を嵌挿固定している。この金属製のアーム２の先端は、図２に示されるように、アーム２を構成する金属棒を屈曲させて立体的な方形２ａに形成している。当該部分における形状は前記実施例に示される形状に止まらず、種々の形状に成形可能であって、平面的な三角形、あるいは、アーム２と直交するアームを接合してなるＴ字状、さらには、アーム２を屈曲させてＬ字形状に成形することも可能であり、また、アーム２を自体を平板状のアームとすることも可能である。【００１６】  かかるアーム２における先端形状は、後述するアーム２に装着される洗浄部材５における洗浄機能に影響する。即ち、アーム２の先端部が、アーム２の軸心と直交する直線部２ｂを形成することから、アーム２に装着される洗浄部材５もこれに倣って線状となることから、言い換えると、洗浄具５が前述する平面状あるいはＴ字形状に支持されることから、その先端部におけるジョッキ等に挿入したときに底部と接する領域が拡大することから、ジョッキ等の底部を効果的に洗浄することを可能とする。【００１７】  前述のアーム２には、洗浄部材５を着脱自在に装着している。この洗浄部材５は、スポンジ、タワシ、布、不織布、あるいは、これらを組合せたもの等種々の素材を採用しうるもので、アーム２に装着するに際して、それぞれ個別に装着することも可能であるが、洗浄部材５を連結された一連のものとして構成してアーム２に装着するのが望ましく、このようにすることによって、洗浄部材５の連結部分５ｃによってジョッキ等の開口端縁部を効果的に洗浄することが可能となる。【００１８】  洗浄部材５をアーム２に装着するに際して、洗浄部材５をアーム２の先端より突出するように固定することによって、洗浄時において当該部分が底部に充満することとなり、前述のアーム２における先端形状と相俟って洗浄をさらに効果的になしうる。しかし、前述の突出量が過度となる場合には、却って洗浄作業を阻害することとなるため、その突出量は適宜に選択されるべきである。【００１９】  さらに、一対のアーム２に装着する洗浄部材５におけるそれぞれの幅Ｗの寸法を相違させること、即ち、図２に示すように、一方の洗浄部材５ａの幅寸法Ｗ１に対して、他方の洗浄部材５ｂの幅寸法Ｗ２を小さく構成することが推奨される。これによって、寸法の異なる洗浄部材５ａ、５ｂを使い分けることによって、小さいグラスの内部へ洗浄部材５ｂを挿入することが可能となって、大小さまざまな寸法の食器類をも洗浄することを可能とする。
【図面の簡単な説明】
【００２０】
【図１】  本考案に係るジョッキ等の洗浄具を示す正面図。
【図２】  図１におけるＡ−Ａ線矢視図。
【符号の説明】
【００２１】１：ジョッキ等の洗浄具
２：アーム
３：握り柄
４：ピン
５：洗浄部材
【図１】
0003129565.tif 000003
【図２】
0003129565.tif 000004